(57)【要約】      （修正有）【課題】心臓弁輪固定手術用リングを提供する。【解決手段】環状の剛体１０をなし、剛体は、糸により弁輪固定部材を保持するための複数の保持部１８が設けられており、ここで、糸は、複数の保持部の間に張られると共に弁輪固定部材を貫通するものであり、保持部は、剛体がなす周上に所定の間隔で離間して設けられており、弁輪固定部材は、環状で、剛体の外周を取り囲みつつ剛体に外接し、かつ、柔軟性を有するものである、心臓弁輪固定手術用リング１００。【選択図】図１Ａ
2017074266.tif 000002
【特許請求の範囲】
【請求項１】
環状の剛体をなし、
前記剛体は、糸により弁輪固定部材を保持するための複数の保持部が設けられており、
ここで、前記糸は、前記複数の保持部の間に張られると共に前記弁輪固定部材を貫通するものであり、
前記保持部は、前記剛体がなす周上に所定の間隔で離間して設けられており、
前記弁輪固定部材は、
環状で、
前記剛体の外周を取り囲みつつ前記剛体に外接し、かつ、
柔軟性を有するものである、
心臓弁輪固定手術用リング。
【請求項２】
前記剛体は周をなし、
前記保持部が、前記周の長さを６等分する位置にそれぞれ設けられている、
請求項１に記載の心臓弁輪固定手術用リング。
【請求項３】
前記剛体は、前記剛体がなす周の外側に向かって周状の凹面をなし、
前記保持部は、前記凹面の底部に形成されかつ前記周の外側と内側との間で前記剛体を貫通する貫通孔であり、
前記保持部は、前記貫通孔および前記弁輪固定部材を貫通する糸を用いて前記弁輪固定部材を前記剛体に保持するように構成されている、
請求項１または２に記載の心臓弁輪固定手術用リング。
【請求項４】
前記保持部が、前記剛体がなす周と交差する面に沿って形成された溝であり、
前記保持部は、前記溝に巻回されかつ前記弁輪固定部材を貫通する糸を用いて前記弁輪固定部材を前記剛体に保持するように構成されている、
請求項１または２に記載の心臓弁輪固定手術用リング。
【請求項５】
前記剛体は円周をなし、
前記円周の外径が、１６ｍｍ以上２８ｍｍ以下である、
請求項１ないし４のいずれかに記載の心臓弁輪固定手術用リング。
【請求項６】
心臓弁輪固定手術用リングと弁輪固定部材とを備え、
前記心臓弁輪固定手術用リングは、
環状の剛体をなし、
前記剛体は、糸により前記弁輪固定部材を保持するための複数の保持部が設けられており、
ここで、前記糸は、前記複数の保持部の間に張られると共に前記弁輪固定部材を貫通するものであり、
前記保持部は、前記剛体がなす周上に所定の間隔で離間して設けられており、
前記弁輪固定部材は、
継ぎ目のない閉じた環状で外表面が平滑であり、
前記剛体の外周を取り囲みつつ前記剛体に外接し、かつ、
柔軟性を有する、
心臓弁輪固定手術用アセンブリ。
【請求項７】
前記剛体は周をなし、
前記保持部が、前記周の長さを６等分する位置にそれぞれ設けられている、
請求項６に記載の心臓弁輪固定手術用アセンブリ。
【請求項８】
前記剛体は、前記剛体がなす周の外側に向かって周状の凹面をなし、
前記保持部は、前記凹面の底部に形成されかつ前記周の外側と内側との間で前記剛体を貫通する貫通孔であり、
前記弁輪固定部材は前記凹面に巻回され、
前記糸が、前記貫通孔を貫通しつつ前記弁輪固定部材を前記剛体上に縫い付ける状態で前記弁輪固定部材を前記剛体に保持している、
請求項６または７に記載の心臓弁輪固定手術用アセンブリ。
【請求項９】
前記保持部が、前記剛体がなす周と交差する面に沿って形成された溝であり、
前記糸が、前記溝に巻回されつつ前記弁輪固定部材を前記剛体上に縫い付ける状態で前記弁輪固定部材を前記剛体に保持している、
請求項６または７に記載の心臓弁輪固定手術用アセンブリ。
【請求項１０】
前記剛体は円周をなし、
前記円周の外径が、１６ｍｍ以上２８ｍｍ以下である、
請求項６ないし９のいずれかに記載の心臓弁輪固定手術用アセンブリ。
【請求項１１】
前記弁輪固定部材が、補強膜を備えたｅＰＴＦＥのシートで構成されている、
請求項６ないし１０のいずれかに記載の心臓弁輪固定手術用アセンブリ。
【請求項１２】
前記弁輪固定部材の軸方向の長さが、前記心臓弁輪固定手術用リングの軸方向の長さよりも長いことで、縫いしろをなす、
請求項６ないし１１のいずれかに記載の心臓弁輪固定手術用アセンブリ。
【発明の詳細な説明】
【技術分野】
【０００１】
本発明は、心臓弁輪固定手術用リングおよびこれを用いた手術方法に関する。
【背景技術】
【０００２】
大動脈弁は大動脈の基部、バルサルバ洞と左心室流出路との間に位置する。心収縮時、体血圧を支えるために、
大動脈弁の弁尖同士は、十分に接合する必要がある。接合が不十分で血液が逆流すると、心不全となり、形成手術等により機能改善を行う必要がある。大動脈弁輪の径が過大となっている場合には、大動脈弁輪を縫縮することにより、弁尖同士の接合が適正化され、逆流を低減できる。
【０００３】
非特許文献１は、大動脈弁輪縫縮の手術方法として、Subvalvular circular annuloplasty法を開示する。
【先行技術文献】
【非特許文献】
【０００４】
【非特許文献１】Izumoto H. et al., Leaflet Suspension and Subvalvular Annuloplasty in Aortic Valve Prolapse, Asian Cardiovascular and Thoracic Annals, 2009, vol.17, pp.278-281
【発明の概要】
【０００５】
本開示の一側面にかかる心臓弁輪固定手術用リングは、環状の剛体をなし、前記剛体は、糸により弁輪固定部材を保持するための複数の保持部が設けられており、ここで、前記糸は、前記複数の保持部の間に張られると共に前記弁輪固定部材を貫通するものであり、前記保持部は、前記剛体がなす周上に所定の間隔で離間して設けられており、前記弁輪固定部材は、環状で、前記剛体の外周を取り囲みつつ前記剛体に外接し、かつ、柔軟性を有するものである。
【図面の簡単な説明】
【０００６】
【図１Ａ】図１Ａは、第１実施例の心臓弁輪固定手術用リングの概略構成を示す斜視図である。
【図１Ｂ】図１Ｂは、第１実施例の心臓弁輪固定手術用リングの概略構成を示す平面図である。
【図１Ｃ】図１Ｃは、第１実施例の心臓弁輪固定手術用リングの概略構成を示す側面図である。
【図２Ａ】図２Ａは、第２実施例の心臓弁輪固定手術用アセンブリの概略構成を示す斜視図である。
【図２Ｂ】図２Ｂは、第２実施例の心臓弁輪固定手術用アセンブリの概略構成を示す平面図である。
【図２Ｃ】図２Ｃは、第２実施例の心臓弁輪固定手術用アセンブリの概略構成を示す側面図である。
【図３Ａ】図３Ａは、第３実施例の心臓弁輪固定手術用リングの概略構成を示す斜視図である。
【図３Ｂ】図３Ｂは、第３実施例の心臓弁輪固定手術用リングの概略構成を示す平面図である。
【図３Ｃ】図３Ｃは、第３実施例の心臓弁輪固定手術用リングの概略構成を示す側面図である。
【図４Ａ】図４Ａは、第４実施例の心臓弁輪固定手術用アセンブリの概略構成を示す斜視図である。
【図４Ｂ】図４Ｂは、第４実施例の心臓弁輪固定手術用アセンブリの概略構成を示す平面図である。
【図４Ｃ】図４Ｃは、第４実施例の心臓弁輪固定手術用アセンブリの概略構成を示す側面図である。
【図５Ａ】図５Ａは、第５実施例にかかる大動脈弁輪固定手術方法を示す工程図であって、プレジェットを備えた両端針付き縫合糸を弁輪部に設置するステップを示す、血流方向に沿って切った断面図である。
【図５Ｂ】図５Ｂは、第５実施例にかかる大動脈弁輪固定手術方法を示す工程図であって、プレジェットを備えた両端針付き縫合糸を弁輪部に設置するステップを示す、大動脈側から見た平面図である。
【図６Ａ】図６Ａは、第５実施例にかかる大動脈弁輪固定手術方法を示す工程図であって、プレジェットを備えた両端針付き縫合糸を弁輪の全周にわたって設置するステップを示す、血流方向に沿って切った断面図である。
【図６Ｂ】図６Ｂは、第５実施例にかかる大動脈弁輪固定手術方法を示す工程図であって、プレジェットを備えた両端針付き縫合糸を弁輪の全周にわたって設置するステップを示す、大動脈側から見た平面図である。
【図７Ａ】図７Ａは、第５実施例にかかる大動脈弁輪固定手術方法を示す工程図であって、心臓弁輪固定手術用リングに取り付けられた弁輪固定部材に縫合糸を縫い通すステップを示す、血流方向に沿って切った断面図である。
【図７Ｂ】図７Ｂは、第５実施例にかかる大動脈弁輪固定手術方法を示す工程図であって、心臓弁輪固定手術用リングに取り付けられた弁輪固定部材に縫合糸を縫い通すステップを示す、大動脈側から見た平面図である。
【図８Ａ】図８Ａは、第５実施例にかかる大動脈弁輪固定手術方法を示す工程図であって、心臓弁輪固定手術用リングに取り付けられた弁輪固定部材をバルサルバ洞側から左心室流出路側の弁輪部へと移動させるステップを示す、血流方向に沿って切った断面図である。
【図８Ｂ】図８Ｂは、第５実施例にかかる大動脈弁輪固定手術方法を示す工程図であって、心臓弁輪固定手術用リングに取り付けられた弁輪固定部材をバルサルバ洞側から左心室流出路側の弁輪部へと移動させるステップを示す、大動脈側から見た平面図である。
【図９Ａ】図９Ａは、第５実施例にかかる大動脈弁輪固定手術方法を示す工程図であって、弁輪固定部材が心臓弁輪固定手術用リングに取り付けられた状態で、縫合糸を結紮するステップを示す、血流方向に沿って切った断面図である。
【図９Ｂ】図９Ｂは、第５実施例にかかる大動脈弁輪固定手術方法を示す工程図であって、弁輪固定部材が心臓弁輪固定手術用リングに取り付けられた状態で、縫合糸を結紮するステップを示す、大動脈側から見た平面図である。
【図１０Ａ】図１０Ａは、第５実施例にかかる大動脈弁輪固定手術方法を示す工程図であって、弁輪固定部材の結紮完了後に、心臓弁輪固定手術用リングを取り外すステップを示す、血流方向に沿って切った断面図である。
【図１０Ｂ】図１０Ｂは、第５実施例にかかる大動脈弁輪固定手術方法を示す工程図であって、弁輪固定部材の結紮完了後に、心臓弁輪固定手術用リングを取り外すステップを示す、大動脈側から見た平面図である。
【発明を実施するための形態】
【０００７】
弁輪縫縮とは、弁輪の径が過大となっている場合に、外科的処置により弁輪を縫うことで弁輪の径を縮小させることを言う。本発明者は、弁輪固定部材を血管ないし心臓の内部に留置する態様の大動脈弁輪縫縮の手術方法について鋭意検討した。その結果、以下の知見を得た。
【０００８】
非特許文献１を参考として、以下のような第１の方法が考えられる。まず、０．６ｍｍ厚のｅＰＴＦＥフェルトを約５ｍｍ幅のストリップ状に形成する。中央部にｅＰＴＦＥプレジェットが取り付けられ両端に針が接続された５−０ポリプロピレン糸を用意しておく。ストリップを引き延ばした状態で、上記糸を大動脈弁の基部の大動脈側から左心室流出路側へ水平マットレス（組織表面とプレジェットとが平面で接触する態様）の形で掛け、ｅＰＴＦＥフェルトストリップに通す。５〜６本の糸を掛けた時点で結紮し、全周かけ終わった時点で余剰のストリップを切除し、端部同士を５−０ポリプロピレン糸で縫合して終了する。
【０００９】
この方法では、ｅＰＴＦＥフェルトが伸縮することや、糸の縫いしろの設定誤差により、最終的に得られる弁輪径が変動する。その結果、弁輪径が期待されたより大きい、または小さいなどの誤差が生じるという問題がある。
【００１０】
かかる問題を低減するための改良法として第２の方法が考えられた。第２の方法では、あらかじめ期待される弁輪径と同じサイズのへガールダイレーターを用いる。これに約５ｍｍ幅のストリップ状に切り取った前述の０．６ｍｍ厚のｅＰＴＦＥフェルトを１周巻きつけて残りを切除し、端部同士を５−０ポリプロピレン糸で縫合してｅＰＴＦＥフェルトリングを作成する。弁輪の全周にあらかじめ糸を掛けておき、弁輪にｅＰＴＦＥフェルトリングのみを近づけ縫合していく。
【００１１】
かかる方法により、糸の縫いしろの設定誤差に伴う問題点は改善されるが、ｅＰＴＦＥフェルトが伸縮する点と、結紮を行う際に縫合部が縮むために、意図した弁輪径がなかなか実現できないという欠点がある。
【００１２】
さらなる改良として、ゴアテックス（登録商標）人工血管を用いる第３の方法が検討された。第３の方法では、ゴアテックス（登録商標）人工血管を用いる。ゴアテックス（登録商標）人工血管は、ｅＰＴＦＥフェルトと類似の素材であるが、外周にフィルム（外皮膜）が巻かれており、伸縮が大幅に抑制されている。これを前述と同様の方法で弁輪部に固定する。
【００１３】
かかる方法によりｅＰＴＦＥフェルトが伸縮する問題は軽減されるが、結紮を行う際に縫合部が歪んだり縮んだりするために意図した弁輪径の実現が困難であるという欠点は依然として存在する。
【００１４】
以上の検討を踏まえ、発明者らは、継ぎ目のない環状の弁輪固定部材を心臓弁輪固定手術用リングに糸を用いて保持した状態で心臓弁輪に縫い付け、その後に糸を切ってリングを取り外すことに想到した。この方法を用いることで、意図した弁輪径を実現することが容易となる。上記手術方法は、大動脈弁以外の心臓弁にも適用可能である。リングと糸とで弁輪固定部材の形状を安定化することで、弁輪径を容易に所望の大きさに設定することができる。外科手術では縫合糸が頻繁に用いられる。糸を用いて弁輪固定部材をリングに仮止めしたり、弁輪固定部材をリングから取り外したりすることは、外科医において容易に実施することができ、ミスも少なく、かつ、追加的な装備が不要となることから低コストでもある。
【００１５】
以下、各実施形態について、図面を参照しながら説明する。なお以下では、全ての実施形態および図面を通じ、同一又は対応する部材については同一の参照符号を付し、既述の部材については説明を省略する。
【００１６】
以下で説明する実施形態は、いずれも望ましい一具体例を示すものである。以下の実施形態で示される数値、形状、材料、構成要素、構成要素の配置位置及び接続形態、ステップ、ステップの順序などは、あくまで一例であり、本開示を限定するものではない。また、以下の実施形態における構成要素のうち、本開示の最上位概念を示す独立請求項に記載されていない構成要素は、任意の構成要素として説明される。図面は理解しやすくするために、それぞれの構成要素を模式的に示したもので、形状及び寸法比等については正確な表示ではない場合がある。方法においては、必要に応じて、各工程の順序等を変更でき、かつ、他の公知の工程を追加できる。
【００１７】
（実施形態）
実施形態にかかる第１の心臓弁輪固定手術用リングは、環状の剛体をなし、剛体は、糸により弁輪固定部材を保持するための複数の保持部が設けられており、ここで、糸は、複数の保持部の間に張られると共に弁輪固定部材を貫通するものであり、保持部は、剛体がなす周上に所定の間隔で離間して設けられており、弁輪固定部材は、環状で、剛体の外周を取り囲みつつ剛体に外接し、かつ、柔軟性を有するものである。
【００１８】
「剛体」とは、心臓弁輪固定手術において、弁輪固定部材に糸を通したり、弁輪固定部材を心臓内に挿入したりする際に、弁輪固定部材の形状を一定に維持できる程度の剛性を有することを言う。剛性の程度は、心臓外科の技術分野における通常の知識に基づいて適宜に設定しうる。
【００１９】
「弁輪固定部材を保持する」とは、心臓弁輪固定手術において、弁輪固定部材に糸を通したり、弁輪固定部材を心臓内に挿入したりする際に、手術に悪影響を与えるようなゆがみが弁輪固定部材に発生しない程度に、弁輪固定部材を心臓弁輪固定手術用リングに固定することを言う。固定の程度は、心臓外科の技術分野における通常の知識に基づいて適宜に設定しうる。
【００２０】
「所定の間隔」とは、心臓弁輪固定手術において、弁輪固定部材に糸を通したり、弁輪固定部材を心臓内に挿入したりする際に、手術に悪影響を与えるようなゆがみが弁輪固定部材に発生しない程度に、弁輪固定部材を心臓弁輪固定手術用リングに固定できるような間隔を言う。固定の程度は、心臓外科の技術分野における通常の知識に基づいて適宜に設定しうる。
【００２１】
手術に悪影響を与えるようなゆがみとは、弁輪固定部材が心臓弁輪固定手術用リングから外れるようなゆがみであってもよいし、そのようなゆがみが生じた状態で弁輪固定部材を弁輪部に固定すると医療上不適切となるようなゆがみであってもよい。保持は一時的なものであって、弁輪固定部材を弁輪部に固定したら、心臓弁輪固定手術用リングを弁輪固定部材から容易に取り外すことができる。
【００２２】
「柔軟性を有する」とは、心臓内に留置した際に、弁輪固定部材として適切に機能しうる程度の柔軟性を言う。柔軟性の程度は、心臓外科の技術分野における通常の知識に基づいて適宜に設定しうる。
【００２３】
「心臓弁」とは、大動脈弁、僧帽弁、三尖弁、肺動脈弁のいずれかを言う。ただし、上記心臓弁輪固定手術用リングは、大動脈弁の弁輪固定手術に最も好適に用いられる。
【００２４】
「弁輪」とは、心臓弁の基部周辺の部位を指す。必ずしも学術的に厳密な意味での弁輪でなくてもよい。
【００２５】
心臓弁輪固定手術用リングがなす環は、閉じた環であってもよいし、開いた環であってもよい。心臓弁輪固定手術用リングがなす環の形状は特に限定されず、円環であってもよいし、楕円環であってもよいし、ゆがんだ環であってもよい。
【００２６】
心臓弁輪固定手術用リングは、金属（例えば、ステンレス、チタン合金、金、銀、銅）およびプラスチック（例えば、ポリエチレン、ポリプロピレン、ポリカーボネート、ポリエチレンテレフタレート、プリテトラフルオロエチレン等のフッ素樹脂）等で構成されうる。心臓弁輪固定手術用リングは、単一材料で構成されていてもよいし、複合材料で構成されていてもよい。心臓弁輪固定手術用リングは、単一部材として構成されていてもよいし、複数部材から構成されていてもよい。
【００２７】
心臓弁輪固定手術用リングは、中空であってもよい。すなわち、心臓弁輪固定手術用リングの内側には何も存在せず、使用時においても、後述する糸以外には何も存在しなくてもよい。
【００２８】
保持部は、弁輪固定部材を保持できれば、どのような構成であってもよい。保持部は例えば、心臓弁輪固定手術用リングに設けられた貫通孔であってもよい。あるいは例えば、心臓弁輪固定手術用リングに設けられた溝であってもよい。あるいは例えば、心臓弁輪固定手術用リングに設けられた突起であってもよい。保持部は、心臓弁輪固定手術用リングと一体に構成されてもよい。保持部は、糸を用いて弁輪固定部材を心臓弁輪固定手術用リングに固定する。
【００２９】
弁輪固定部材は、手術後、血管ないし心臓の内部に留置される。心臓弁輪固定手術用リングは、手術時に弁輪固定部材から取り外されるため、体内に留置されることはない。
【００３０】
実施形態にかかる第２の心臓弁輪固定手術用リングは、上記第１の心臓弁輪固定手術用リングであって、剛体は周をなし、保持部が、周の長さを６等分する位置にそれぞれ設けられている。
【００３１】
かかる構成では、保持部が周を４等分する位置に設けられているよりも、保持部が弁輪固定部材を安定して保持できる。また、保持部が周を８等分する位置に設けられているよりも、手術時間を低減できる。心臓弁が円周を略３等分することから、周を３の倍数である６で等分する位置に保持部を設けることで、弁輪固定部材に縫合糸を通す際の位置決めも容易となる。なお、「等分」とは厳密な等分であることは要せず、手術に支障を来たさない限度で、ある程度の誤差が許容されることは言うまでもない。保持部の数および間隔は必ずしも上記に限定されない。保持部が不均一な間隔で設けられていてもよい。
【００３２】
実施形態にかかる第３の心臓弁輪固定手術用リングは、上記第１または第２の心臓弁輪固定手術用リングであって、剛体は、剛体がなす周の外側に向かって周状の凹面をなし、保持部は、凹面の底部に形成されかつ周の外側と内側との間で剛体を貫通する貫通孔であり、保持部は、貫通孔および弁輪固定部材を貫通する糸を用いて弁輪固定部材を剛体に保持するように構成されている。
【００３３】
貫通孔の直径は、例えば、手術用の縫合糸を通すことができる程度の大きさであり、例えば、０．５ｍｍ以上２ｍｍ以下とすることができる。貫通孔の直径は、０．７ｍｍ以上１．５ｍｍ以下であってもよい。貫通孔の直径は、０．９ｍｍ以上１．２ｍｍ以下であってもよい。
【００３４】
実施形態にかかる第４の心臓弁輪固定手術用リングは、上記第１または第２の心臓弁輪固定手術用リングであって、保持部が、剛体がなす周と交差する面に沿って形成された溝であり、保持部は、溝に巻回されかつ弁輪固定部材を貫通する糸を用いて弁輪固定部材を剛体に保持するように構成されている。
【００３５】
溝の深さは、０．１ｍｍ以上２ｍｍ以下とすることができる。溝の深さは、０．３ｍｍ以上１．５ｍｍ以下であってもよい。溝の深さは、０．５ｍｍ以上１ｍｍ以下であってもよい。
【００３６】
溝の幅は、０．１ｍｍ以上２ｍｍ以下とすることができる。溝の幅は、０．３ｍｍ以上１．５ｍｍ以下であってもよい。溝の幅は、０．５ｍｍ以上１ｍｍ以下であってもよい。
【００３７】
実施形態にかかる第５の心臓弁輪固定手術用リングは、上記第１ないし第４のいずれかの心臓弁輪固定手術用リングであって、記剛体は円周をなし、円周の外径が、１６ｍｍ以上２８ｍｍ以下である。円周の外径は、１６ｍｍ以上２６ｍｍ以下であってもよい。円周の外径は、１８ｍｍ以上２４ｍｍ以下であってもよい。
【００３８】
心臓弁輪固定手術用リングの軸方向の長さは１ｍｍ以上７ｍｍ以下とすることができる。心臓弁輪固定手術用リングの軸方向の長さは２ｍｍ以上６ｍｍ以下とすることができる。心臓弁輪固定手術用リングの軸方向の長さは２ｍｍ以上３ｍｍ以下とすることができる。心臓弁輪固定手術用リングの軸方向の長さは３ｍｍ以上５ｍｍ以下とすることができる。
【００３９】
実施形態にかかる第６の心臓弁輪固定手術用アセンブリは、心臓弁輪固定手術用リングと弁輪固定部材とを備え、心臓弁輪固定手術用リングは、環状の剛体をなし、剛体は、糸により弁輪固定部材を保持するための複数の保持部が設けられており、ここで、糸は、複数の保持部の間に張られると共に弁輪固定部材を貫通するものであり、保持部は、剛体がなす周上に所定の間隔で離間して設けられており、弁輪固定部材は、継ぎ目のない閉じた環状で外表面が平滑であり、剛体の外周を取り囲みつつ剛体に外接し、かつ、柔軟性を有する。
【００４０】
弁輪固定部材は、例えば、短い円筒形状を有していてもよい。この場合において、弁輪固定部材の軸方向の長さは２ｍｍ以上１４ｍｍ以下とすることができる。弁輪固定部材の軸方向の長さは４ｍｍ以上１２ｍｍ以下であってもよい。弁輪固定部材の軸方向の長さは４ｍｍ以上６ｍｍ以下であってもよい。弁輪固定部材の軸方向の長さは６ｍｍ以上１０ｍｍ以下であってもよい。弁輪固定部材の内径は、１６ｍｍ以上２８ｍｍ以下とすることができる。弁輪固定部材の内径は、１６ｍｍ以上２６ｍｍ以下であってもよい。弁輪固定部材の内径は、１８ｍｍ以上２４ｍｍ以下であってもよい。
【００４１】
弁輪固定部材はシート材で構成されていてもよい。この場合において、シート材の径方向の厚みは、０．３ｍｍ以上０．９ｍｍ以下とすることができる。シート材の径方向の厚みは、０．４ｍｍ以上０．８ｍｍ以下であってもよい。シート材の径方向の厚みは、０．５ｍｍ以上０．７ｍｍ以下であってもよい。
【００４２】
弁輪固定部材は、例えば、ｅＰＴＦＥ（ｅｘｐａｎｄｅｄ  ｐｏｌｙｔｅｔｒａｆｌｕｏｒｏｅｔｈｙｌｅｎｅ：延伸ポリテトラフルオロエチレン）のチューブで構成されうる。ｅＰＴＦＥは、生体適合性が高い。より具体的には、弁輪固定部材は、補強膜（外皮膜）を備えたｅＰＴＦＥチューブで構成することができる。補強膜は、経時的な口径拡大を低減するための膜である。補強膜は、ｅＰＴＦＥの薄型テープで構成されうる。補強膜が配置されることにより、弁輪固定部材の延び縮みが抑制されると共に、表面が平滑化される。延び縮み抑制により、手術後に生じる弁輪径の経時変化を抑制できる。表面平滑化により、弁輪固定部材と人体組織表面との摩擦が低減され、手術による人体への影響を低減できる。
【００４３】
「継ぎ目がない」とは、弁輪固定部材が一体に形成されていることを言う。弁輪固定部材がなす環は、閉じた環である。継ぎ目がないことは、延び縮みの抑制に有効である。
【００４４】
「剛体の外周を取り囲みつつ剛体に外接する」とは、例えば、弁輪固定部材と心臓弁輪固定手術用リングとが同心円をなし、弁輪固定部材の内壁と心臓弁輪固定手術用リングの外周とが接触している状態をいう。
【００４５】
「外表面が平滑である」とは、弁輪固定部材と人体組織表面との摩擦が、心臓ないし血管の組織に悪影響を与えない程度の平滑度を備えることを言う。従来の弁輪固定部材として、合成繊維（ＰＥＴ繊維）のダクロンを織ったり編んだりした構造体が知られているが、かかる構造体の表面は平滑ではない。このため、ダクロンを大動脈弁の弁輪に設置すると、表面の摩擦により生体組織が損傷する可能性がある。
【００４６】
アセンブリとは、複数の独立した部品を組み合わせてなる構造体を言う。
【００４７】
実施形態にかかる第７の心臓弁輪固定手術用アセンブリは、上記第６の心臓弁輪固定手術用アセンブリであって、剛体は周をなし、保持部が、周の長さを６等分する位置にそれぞれ設けられている。
【００４８】
実施形態にかかる第８の心臓弁輪固定手術用アセンブリは、上記第７の心臓弁輪固定手術用アセンブリであって、剛体は、剛体がなす周の外側に向かって周状の凹面をなし、保持部は、凹面の底部に形成されかつ周の外側と内側との間で剛体を貫通する貫通孔であり、弁輪固定部材は凹面に巻回され、糸が、貫通孔を貫通しつつ弁輪固定部材を剛体上に縫い付ける状態で弁輪固定部材を剛体に保持している。
【００４９】
「凹面に巻回」とは、凹面がなす周の全周にわたって弁輪固定部材が心臓弁輪固定手術用リングを取り囲んでいることをいう。
【００５０】
実施形態にかかる第９の心臓弁輪固定手術用アセンブリは、上記第７の心臓弁輪固定手術用アセンブリであって、保持部が、剛体がなす周と交差する面に沿って形成された溝であり、糸が、溝に巻回されつつ弁輪固定部材を剛体上に縫い付ける状態で弁輪固定部材を剛体に保持している。
【００５１】
実施形態にかかる第１０の心臓弁輪固定手術用アセンブリは、上記第６ないし９のいずれかの心臓弁輪固定手術用アセンブリであって、剛体は円周をなし、円周の外径が、１６ｍｍ以上２８ｍｍ以下である。
【００５２】
実施形態にかかる第１１の心臓弁輪固定手術用アセンブリは、上記第６ないし１０のいずれかの心臓弁輪固定手術用アセンブリであって、弁輪固定部材が、補強膜を備えたｅＰＴＦＥのシートで構成されている。
【００５３】
実施形態にかかる第１２の心臓弁輪固定手術用アセンブリは、上記第６ないし１１のいずれかの心臓弁輪固定手術用アセンブリであって、弁輪固定部材の軸方向の長さが、心臓弁輪固定手術用リングの軸方向の長さよりも長いことで、縫いしろをなす。
【００５４】
（第１実施例）
図１Ａ、図１Ｂ、図１Ｃは、それぞれ、第１実施例の心臓弁輪固定手術用リングの概略構成を示す斜視図、平面図、側面図である。以下、図１Ａ〜図１Ｃを参照しつつ、第１実施例の心臓弁輪固定手術用リング１００について説明する。
【００５５】
心臓弁輪固定手術用リング１００は、円環状の剛体１０からなる。剛体１０がなす円周の外側に向かって円周状の凹面１２が形成されている。凹面１２の底がなす円周の直径は、剛体１０の外周１４がなす円周の直径よりも小さく、剛体の内周１６がなす円周の直径よりも大きい。
【００５６】
凹面１２の底部には、剛体１０がなす円周を６等分する位置に、すなわち６０度おきに、円周の外側と内側と間で剛体１０を貫通する貫通孔１８が形成されている。すなわち、心臓弁輪固定手術用リング１００に形成される貫通孔１８の個数は６である。貫通孔１８は保持部の一例である。
【００５７】
心臓弁輪固定手術用リング１００には、第２実施例で説明するように、貫通孔１８および弁輪固定部材を貫通する糸を用いて弁輪固定部材を剛体１０に保持する。糸は、複数の貫通孔１８の間に張られると共に弁輪固定部材を貫通する。糸は、例えば、４−０ポリプロピレン糸（直径０．１５０ｍｍ以上０．１９９ｍｍ以下）を用いることができる。糸は手術用の縫合糸を用いることができる。
【００５８】
心臓弁輪固定手術用リング１００の内径ＩＤは２０ｍｍであり、外径ＯＤは２２ｍｍである。心臓弁輪固定手術用リング１００の径方向の厚みＴは２ｍｍである。心臓弁輪固定手術用リング１００の軸方向の長さＬは２ｍｍである。凹面１２の深さＤは１ｍｍである。貫通孔１８の直径は０．５ｍｍである。軸方向とは、心臓弁輪固定手術用リング１００がなす円周の中心を通り、円周がなす面に垂直な軸を言う。
【００５９】
なお、心臓弁輪固定手術用リング１００の径（内径および外径）は、患者の弁輪径に応じて適宜に設定可能であることは言うまでもない。心臓弁輪固定手術用リング１００の軸方向の長さＬは、使用する弁輪固定部材の軸方向の長さの約半分とすることができる。貫通孔１８の直径は、使用する糸および針の直径の最大値より若干大きい径としてもよい。
【００６０】
（第２実施例）
図２Ａ、図２Ｂ、図２Ｃは、それぞれ、第２実施例の心臓弁輪固定手術用アセンブリの概略構成を示す斜視図、平面図、側面図である。以下、図２Ａ〜図２Ｃを参照しつつ、第２実施例の心臓弁輪固定手術用アセンブリ２００について説明する。
【００６１】
心臓弁輪固定手術用アセンブリ２００は、第１実施例の心臓弁輪固定手術用リング１００に弁輪固定部材５０を保持した、手術用アセンブリである。心臓弁輪固定手術用リング１００については、第１実施例と同様とすることができるので、対応する構成要素については同一符号を付して、詳細な説明を省略する。
【００６２】
弁輪固定部材５０は、継ぎ目のない閉じた環状で、外表面が平滑であり、剛体１０の外周を取り囲みつつ剛体１０に外接し、かつ、柔軟性を有する。弁輪固定部材５０の内径は心臓弁輪固定手術用リング１００の外径とほぼ一致する。弁輪固定部材５０はごくわずかに伸縮性を有するため、弁輪固定部材５０の中に心臓弁輪固定手術用リング１００をはめ込むことができる。弁輪固定部材５０は、補強膜を備えたｅＰＴＦＥのシートからなる。弁輪固定部材５０は、具体的には例えば、ｅＰＴＦＥからなるゴアテックス（登録商標）ストレッチグラフトスタンダードウォール人工血管ストレートＩＩ型ＳＧＳ−２２３Ｌ（内径２２ｍｍ）を使用することができる。ゴアテックス（登録商標）ストレッチグラフトスタンダードウォール人工血管ストレートＩＩ型の内径は、１６ｍｍから２４ｍｍまで２ｍｍ刻みで選択可能である。
【００６３】
弁輪固定部材５０は、弁輪固定部材５０を貫通する糸により、貫通孔１８へ保持されている。より詳細に言えば、弁輪固定部材５０は、貫通孔１８および弁輪固定部材５０を貫通する糸３０により、剛体１０に保持されている。
【００６４】
弁輪固定部材５０は、凹面１２に巻回されている。すなわち、弁輪固定部材５０は、凹面１２がなす周に沿って凹面１２を取り囲む。糸３０は、貫通孔１８を貫通しつつ弁輪固定部材５０を剛体１０上に縫い付ける状態で弁輪固定部材５０を剛体１０に保持する。糸３０としては、４−０ポリプロピレン糸が用いられる。
【００６５】
弁輪固定部材５０の下端は剛体１０の下端にほぼ一致する。一方、弁輪固定部材５０の上端は剛体１０の上端よりも上方に位置する。換言すれば、弁輪固定部材５０の軸方向の長さは心臓弁輪固定手術用リング１００の軸方向の長さより長い。弁輪固定部材５０の上端は、縫いしろ２０をなす。縫いしろ２０の内側には、心臓弁輪固定手術用リング１００が存在しない（図２Ｃ参照）。
【００６６】
糸３０は、複数の貫通孔１８の間に張られると共に弁輪固定部材５０を貫通する。図２Ｂに則して説明すれば、剛体１０がなす円周の１２時の位置おいて弁輪固定部材５０と貫通孔１８をこの順で貫通した糸３０は、図面下方向へ延びて、６時の位置において貫通孔１８と弁輪固定部材５０とをこの順で貫通する。さらに糸３０は、弁輪固定部材５０の表面上の凹面１２に沿って図面右方向へ伸びて、４時の位置において弁輪固定部材５０と貫通孔１８とをこの順で貫通する。さらに糸３０は、図面左上方向へ延びて、１０時の位置において貫通孔１８と弁輪固定部材５０とをこの順で貫通する。さらに糸３０は、弁輪固定部材５０の表面上の凹面１２に沿って図面下方向へ延びて、８時の位置において弁輪固定部材５０と貫通孔１８とをこの順で貫通する。さらに糸３０は、図面右上方向へ延びて、２時の位置において貫通孔１８と弁輪固定部材５０とをこの順で貫通する。さらに糸３０は、弁輪固定部材５０の表面上の凹面１２に沿って図面左方向へ延びて、１２時の位置において他端の糸と締結される。
【００６７】
かかる構成により、一本の糸３０で、弁輪固定部材５０を剛体１０へ保持できる。弁輪固定部材５０を弁輪へ縫い付けた後は、糸３０を一箇所切断するだけで、容易に糸３０を弁輪固定部材５０および心臓弁輪固定手術用リング１００から除去し、心臓弁輪固定手術用リング１００を弁輪固定部材５０から取り外すことができる。
【００６８】
弁輪固定部材５０の内径ｉｄは２２ｍｍであり、外径ｏｄは２３．２ｍｍである。弁輪固定部材５０の径方向の厚みｔは０．６ｍｍである。弁輪固定部材５０の軸方向の長さｌは５ｍｍである。
【００６９】
なお、弁輪固定部材５０の径（内径および外径）は、目標とする弁輪径に応じて適宜に設定可能であることは言うまでもない。弁輪固定部材５０の軸方向の長さｌは、患者の心臓の大きさ、要求される弁輪固定の強度等に応じて適宜に調整されうるが、例えば４ｍｍ〜５ｍｍ程度とすることができる。
【００７０】
（第３実施例）
図３Ａ、図３Ｂ、図３Ｃは、それぞれ、第３実施例の心臓弁輪固定手術用リングの概略構成を示す斜視図、平面図、側面図である。以下、図３Ａ〜図３Ｃを参照しつつ、第３実施例の心臓弁輪固定手術用リング３００について説明する。
【００７１】
心臓弁輪固定手術用リング３００は、円環状の剛体１１からなる。剛体１１は、いわゆるドーナツ形であり、概略として、回転軸（剛体１１の中心軸）から所定の間隔を置いて回転軸と平行な平面に配置した円を回転軸の周りに１周させた、回転対象の３次元図形をなす。すなわち、剛体１１は、剛体１１がなす円周の外側に向かう凸面１５と、剛体１１がなす円周の内側に向かう凸面１７とを有する。剛体１１の中心軸とは、心臓弁輪固定手術用リング３００がなす円周の中心を通り、円周がなす面に垂直な軸を言う。
【００７２】
剛体１１には、剛体１１がなす円周を６等分する位置に、すなわち６０度おきに、溝１９が形成されている。溝１９は、剛体１１がなす円周と交差する面に沿って剛体１１を周回するように形成されている。心臓弁輪固定手術用リング３００に形成される溝１９の個数は６である。溝１９は保持部の一例である。
【００７３】
心臓弁輪固定手術用リング３００には、第４実施例で説明するように、溝１９に巻回されかつ弁輪固定部材を貫通する糸を用いて弁輪固定部材を剛体１１に保持する。糸は、複数の溝１９の間に張られると共に弁輪固定部材を貫通する。糸は、例えば、４−０ポリプロピレン糸（直径０．１５０ｍｍ以上０．１９９ｍｍ以下）を用いることができる。糸は手術用の縫合糸を用いることができる。
【００７４】
心臓弁輪固定手術用リング３００の内径ＩＤ２は２０ｍｍであり、外径ＯＤ２は２２ｍｍである。心臓弁輪固定手術用リング３００の径方向の厚みＴ２は１ｍｍである。心臓弁輪固定手術用リング３００の軸方向の長さＬ２は２ｍｍである。溝１９の深さは０．５ｍｍである。溝１９の幅は０．５ｍｍである。
【００７５】
なお、心臓弁輪固定手術用リング３００の径（内径および外径）は、患者の弁輪径に応じて適宜に設定可能であることは言うまでもない。心臓弁輪固定手術用リング３００の軸方向の長さＬ２は、使用する弁輪固定部材の軸方向の長さの約半分とすることができる。貫通孔１８の直径は、使用する糸および針の直径の最大値より若干大きい径とすることができる。
【００７６】
（第４実施例）
図４Ａ、図４Ｂ、図４Ｃは、それぞれ、第４実施例の心臓弁輪固定手術用アセンブリの概略構成を示す斜視図、平面図、側面図である。以下、図４Ａ〜図４Ｃを参照しつつ、第４実施例の心臓弁輪固定手術用アセンブリ４００について説明する。
【００７７】
心臓弁輪固定手術用アセンブリ４００は、第３実施例の心臓弁輪固定手術用リング３００に弁輪固定部材５０を保持した、手術用アセンブリである。心臓弁輪固定手術用リング３００については、第３実施例と同様とすることができるので、対応する構成要素については同一符号を付して、詳細な説明を省略する。
【００７８】
糸３０は、複数の貫通孔１８の間に張られると共に弁輪固定部材５０を貫通する。弁輪固定部材５０は、弁輪固定部材５０を貫通する糸３０により、貫通孔１１へ保持されている。より詳細に言えば、弁輪固定部材５０は、溝１９に巻回されかつ弁輪固定部材５０を貫通する糸３０により、剛体１１に保持されている。
【００７９】
弁輪固定部材５０は、凸面１５に巻回されている。すなわち、弁輪固定部材５０は、凸面１５がなす周に沿って凸面１５を取り囲む。糸３０は、溝１９に巻回され、弁輪固定部材５０を剛体１１上に縫い付ける状態で弁輪固定部材５０を剛体１１に保持する。糸３０としては、４−０ポリプロピレン糸が用いられる。
【００８０】
弁輪固定部材５０の軸方向の長さは心臓弁輪固定手術用リング３００の軸方向の長さより長い。弁輪固定部材５０の一端は、縫いしろ２０をなす。縫いしろ２０の内側には、心臓弁輪固定手術用リング３００が存在しない（図４Ｃ参照）。
【００８１】
以上の他、弁輪固定部材５０は、第２実施例で説明したものと同様とすることができるので、図２Ａ〜Ｃと図４Ａ〜Ｃとで対応する構成要素については同一符号を付して、詳細な説明を省略する。
【００８２】
図４Ｂに則して説明すれば、糸３０は、剛体１１がなす円周の１２時の位置において弁輪固定部材５０を貫通し、かつ、溝１９に巻回されて締結された後、図面下方向へ延びており、６時の位置において溝１９に巻回されており、かつ、弁輪固定部材５０を貫通して締結されている。さらに別の糸３０は、４時の位置において弁輪固定部材５０を貫通し、かつ、溝１９に巻回されて締結された後、図面左上方向へ延びており、１０時の位置において溝１９に巻回されており、かつ、弁輪固定部材５０を貫通して締結されている。さらに別の糸３０は、８時の位置において弁輪固定部材５０を貫通し、かつ、溝１９に巻回されて締結された後、図面左上方向へ延びており、２時の位置において溝１９に巻回されており、かつ、弁輪固定部材５０を貫通して締結されている。
【００８３】
かかる構成により、３本の糸３０で、弁輪固定部材５０が剛体１１へ保持される。また、弁輪固定部材５０を弁輪へ縫い付けた後は、糸３０を切断するだけで、容易に糸３０を弁輪固定部材５０および心臓弁輪固定手術用リング３００から除去し、心臓弁輪固定手術用リング３００を弁輪固定部材５０から取り外すことができる。
【００８４】
弁輪固定部材５０の内径ｉｄは２２ｍｍであり、外径ｏｄは２３．２ｍｍである。弁輪固定部材５０の径方向の厚みｔは０．６ｍｍである。弁輪固定部材５０の軸方向の長さｌは５ｍｍである。
【００８５】
なお、弁輪固定部材５０の径（内径および外径）は、患者の弁輪径に応じて適宜に設定可能であることは言うまでもない。弁輪固定部材５０の軸方向の長さｌは、患者の心臓の大きさ、要求される弁輪固定の強度等に応じて適宜に調整されうる。
【００８６】
（第５実施例）
図５〜１０は、第５実施例にかかる大動脈弁輪固定手術方法を示す工程図である。図５Ａ、図５Ｂは、プレジェットを備えた両端針付き縫合糸を弁輪部に設置するステップを示す。図６Ａ、図６Ｂは、プレジェットを備えた両端針付き縫合糸を弁輪の全周にわたって設置するステップを示す。図７Ａ、図７Ｂは、心臓弁輪固定手術用リングに取り付けられた弁輪固定部材に縫合糸を縫い通すステップを示す。図８Ａ、図８Ｂは、心臓弁輪固定手術用リングに取り付けられた弁輪固定部材をバルサルバ洞側から左心室流出路側の弁輪部へと移動させるステップを示す。図９Ａ、図９Ｂは、弁輪固定部材が心臓弁輪固定手術用リングに取り付けられた状態で、縫合糸を結紮するステップを示す。図１０Ａ、図１０Ｂは、弁輪固定部材の結紮完了後に、心臓弁輪固定手術用リングを取り外すステップを示す。断面図は血流方向に沿って切った断面図であり、平面図は大動脈側（バルサルバ洞側）から心臓側（左心室流出路側）を見た平面図である。
【００８７】
図５〜１０では第２実施例の心臓弁輪固定手術用アセンブリ２００を用いた場合を例に説明するが、第４実施例の心臓弁輪固定手術用アセンブリ４００およびその他の心臓弁輪固定手術用アセンブリを用いても同様な手術が可能である。
【００８８】
両端に針６２、６４を備え、中央付近にプレジェット６６を備える、縫合糸６０を用意する。縫合糸６０は、プレジェット６６の裏から表へ、さらに表から裏へと、所定間隔をおいて表と裏とを１回往復するように通されることで、プレジェット６６に対しＵ字状に縫い掛けられている。
【００８９】
プレジェット６６としては、ゴアテックス（登録商標）ＥＰＴＦＥパッチＩＩ（型番：ＰＣ−０６２５）を適切な大きさに切り抜いたものが用いられる。なお、プレジェット６６の代わりに、柔軟性のある細いプラスチックチューブに縫合糸６０を通してもよい。
【００９０】
まず、図５Ａ、図５Ｂに示すように、縫合糸６０の両端を弁輪部８２のバルサルバ洞８８側から左心室流出路８６側へと貫通させる。かかるステップにより、縫合糸６０はプレジェット６６を介して弁輪部８２に固定される。弁輪固定部材を固定する部位は、外科的弁輪に近いが必ずしも一致する必要はなく、患者の心臓の状態および治療方針に基づき、執刀医により適宜に決定される。プレジェット６６は、縫合糸６０により、水平マットレスの形で、すなわちプレジェットの主面と弁輪部８２の組織表面とが面で接触する形で、弁輪部８２へと固定される。
【００９１】
次に、図６Ａ、図６Ｂに示すように、弁輪部８２の全周にわたって縫合糸６０をバルサルバ洞側のプレジェット６６を介して固定する。縫合糸６０は、例えば、３枚の弁尖８４それぞれにつき３本ずつを、対応する弁輪部８２に固定することができる。この場合、使用される縫合糸６０は９本である。なお、弁輪部８２の大きさ等により、固定する縫合糸６０の本数は異なり得る。１枚の弁尖８４あたりの縫合糸６０の本数は、３以上５以下であってもよい。縫合糸６０が弁輪部８２を貫通する部分（プレジェット６６）が、平面視において弁輪部８２がなす周上に等間隔に並ぶように、縫合糸６０が固定されてもよい。
【００９２】
次に、図７Ａ、図７Ｂに示すように、針６２、６４を用いて、縫合糸６０の両端を、心臓弁輪固定手術用アセンブリ２００の縫いしろ２０に、弁輪固定部材５０がなす周の外側から内側へと通す。全ての縫合糸６０について同様の作業が行われる。この際、平面視における縫合糸６０を通す位置は、その縫合糸６０が弁輪部８２を貫通した位置と対応して定められてもよい。縫合糸６０を通す位置は等間隔としてもよい。弁尖８４は３枚あり、周をほぼ３等分している。心臓弁輪固定手術用アセンブリ２００では、保持部が円周を６等分するように設けられており、糸３０も向かい合う保持部同士を連結するように延びていることから、縫合糸６０を通す位置を容易に決定できる。
【００９３】
次に、図８Ａ、図８Ｂに示すように、弁輪部８２と弁輪固定部材５０との間の縫合糸６０を、弁輪固定部材５０の内側へと引き出すことで、弁輪固定部材５０を左心室流出路８６内の弁輪部８２近傍へと移動させる。弁輪部８２と弁輪固定部材５０との間の縫合糸６０が完全に引き出され、弁輪固定部材５０は左心室流出路８６内の弁輪部８２に接触する。
【００９４】
次に、図９Ａ、図９Ｂに示すように、それぞれの縫合糸６０の両端を互いに結んで、それぞれの縫合糸６０を結紮することで、弁輪部８２を弁輪固定部材５０とプレジェット６６との間に固定する。弁輪部８２の全周について縫合糸６０の結紮が完了すると、弁輪部８２の縫縮が完了する。さらに、糸３０が切断されて除去される。
【００９５】
次に、図１０Ａ、図１０Ｂに示すように、心臓弁輪固定手術用リング１００を弁輪固定部材５０から取り外して弁輪固定部材５０の設置が完了する。弁輪固定部材５０の設置により、弁輪部８２の径が小さくなりかつ安定する。よって、大動脈弁の逆流を低減できる。図１０Ｂにおいて、弁輪固定部材５０は依然として円形を保っているように図示されているが、必ずしもそうである必要はなく、弁輪部の形状に応じて適宜に変形してもよい。ただし、本実施例では、弁輪固定部材５０が実質的に伸縮しない材料で構成されているため、変形したとしても弁輪固定部材５０の周の長さは実質的に変わらない。
【００９６】
弁輪固定部材５０として、具体的には、補強膜のついたｅＰＴＦＥ製の人工血管を用いることができる。補強膜はｅＰＴＦＥで構成されうる。かかる構成では、長期間にわたり、弁輪部８２の径を所望の大きさに安定して維持できる。具体的には例えば、ゴアテックス（登録商標）ストレッチグラフトスタンダードウォール人工血管ストレートＩＩ型が用いられうる。
【００９７】
なお、上述の説明は大動脈弁の弁輪部を固定する場合を例示するものであるが、他の心臓弁、例えば、僧帽弁、三尖弁および肺動脈弁のいずれかであってもよい。なお、僧帽弁、三尖弁および肺動脈弁については、弁輪固定部材５０の表面の平滑さはそれほど要求されないが、心臓弁輪固定手術用リングを用いることで、手術中の弁輪固定部材５０の形状を安定化することができ、弁輪部の径を所望の大きさに設定しやすくなることは同じである。
【００９８】
（第６実施例）
以下のように手術が実施されてもよい。すなわち、期待される弁輪径と同等のゴアテックス（登録商標）人工血管を約５ｍｍ幅に同心円状に切離する。この内側に人工血管のサイズに合うように作成された金属リングを挿入する。この金属リングは６０度毎に溝が作成されている。この溝と１８０度反対の溝を用いて、４−０ポリプロピレン糸で固定することにより、人工血管が３本の糸でリングに保持される。これにより、人工血管を弁輪部に逢い付ける時に、金属リングから人工血管が脱落することを防止できる。ｅＰＴＦＥプレジェット付き５−０ポリプロピレン糸を前述と同様に、弁輪部の全周に掛けた後、金属リング付き人工血管に均等に通す。弁輪部と人工血管との間の糸を引き出すことで、人工血管を弁輪部に誘導した後、糸をすべて結紮する。結紮が終了した段階で３本の固定糸を取り除き、金属リングを取り外す。
【００９９】
なお、溝を９０度毎の４か所にして２本にしたところ、この脱落を防止することができなかった。また更に本数を増やすことは理論的に可能であるが、手技が煩雑となる。
【０１００】
［手術方法］
本開示は、以下の手術方法としても実現されうる。
【０１０１】
第１の手術方法は、弁輪固定部材を大動脈弁輪に縫い付けることで大動脈弁輪を固定する手術方法であって、
弁輪固定部材は、継ぎ目がなく、閉じた環状であり、柔軟性を有し、かつ、外表面が平滑である。
【０１０２】
第２の手術方法は、第１の手術方法であって、弁輪固定部材が、補強膜を備えたｅＰＴＦＥのシートで構成されている。
【０１０３】
第３の手術方法は、弁輪固定部材を大動脈弁輪に縫い付けることで大動脈弁輪を固定する手術方法であって、
弁輪固定部材は、継ぎ目がなく、閉じた環状であり、かつ、柔軟性を有し、
弁輪固定部材を心臓弁輪に縫い付ける前に、弁輪固定部材を心臓弁輪固定手術用リングの外周を取り囲みつつ心臓弁輪固定手術用リングに外接させて保持し、
ここで、心臓弁輪固定手術用リングは、
環状の剛体をなし、
剛体は、弁輪固定部材を保持するための複数の保持部が設けられており、かつ
保持部は、剛体がなす周上に所定の間隔で離間して設けられており、糸により弁輪固定部材を剛体に保持するものであり、
ここで、前記糸は、前記複数の保持部の間に張られると共に弁輪固定部材を貫通するものであり、
弁輪固定部材が保持部に保持された状態で、弁輪固定部材を弁輪に縫い付ける。
【０１０４】
第４の手術方法は、第３の手術方法であって、剛体は周をなし、保持部が、周の長さを６等分する位置にそれぞれ設けられている。
【０１０５】
第５の手術方法は、第３または第４の手術方法であって、弁輪固定部材を貫通する糸により、弁輪固定部材を保持部へ保持する。
【０１０６】
第５の手術方法は、第３または第４の手術方法であって、剛体は、剛体がなす周の外側に向かって周状の凹面をなし、保持部は、凹面の底部に形成されかつ周の外側と内側との間で剛体を貫通する貫通孔であり、弁輪固定部材を凹面に巻回し、糸を、貫通孔を貫通させつつ弁輪固定部材を剛体上に縫い付けることで弁輪固定部材を剛体に保持する。
【０１０７】
第６の手術方法は、第３または第４の手術方法であって、保持部が、剛体がなす周と交差する面に沿って形成された溝であり、糸を、溝に巻回させつつ弁輪固定部材を剛体上に縫い付けることで弁輪固定部材を剛体に保持する。
【０１０８】
第７の手術方法は、第３ないし第６のいずれかの手術方法であって、剛体は円周をなし、円周の外径が、１６ｍｍ以上２８ｍｍ以下である。
【０１０９】
なお、上記手術方法においても、実施形態ないし第１〜第６実施例と同様の変形が可能である。
【０１１０】
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造および／又は機能の詳細を実質的に変更できる。
【符号の説明】
【０１１１】
１０  剛体
１１  剛体
１２  凹面
１４  外周
１５  凸面
１６  内周
１７  凸面
１８  貫通孔
１９  溝
２０  縫いしろ
３０  糸
５０  弁輪固定部材
６０  縫合糸
６２  針
６４  針
６６  プレジェット
８２  弁輪部
８４  弁尖
８８  バルサルバ洞
８６  左心室流出路
１００  心臓弁輪固定手術用リング
２００  心臓弁輪固定手術用アセンブリ
３００  心臓弁輪固定手術用リング
４００  心臓弁輪固定手術用アセンブリ
【図１Ａ】
2017074266.tif 000003
【図１Ｂ】
2017074266.tif 000004
【図１Ｃ】
2017074266.tif 000005
【図２Ａ】
2017074266.tif 000006
【図２Ｂ】
2017074266.tif 000007
【図２Ｃ】
2017074266.tif 000008
【図３Ａ】
2017074266.tif 000009
【図３Ｂ】
2017074266.tif 000010
【図３Ｃ】
2017074266.tif 000011
【図４Ａ】
2017074266.tif 000012
【図４Ｂ】
2017074266.tif 000013
【図４Ｃ】
2017074266.tif 000014
【図５Ａ】
2017074266.tif 000015
【図５Ｂ】
2017074266.tif 000016
【図６Ａ】
2017074266.tif 000017
【図６Ｂ】
2017074266.tif 000018
【図７Ａ】
2017074266.tif 000019
【図７Ｂ】
2017074266.tif 000020
【図８Ａ】
2017074266.tif 000021
【図８Ｂ】
2017074266.tif 000022
【図９Ａ】
2017074266.tif 000023
【図９Ｂ】
2017074266.tif 000024
【図１０Ａ】
2017074266.tif 000025
【図１０Ｂ】
2017074266.tif 000026
【手続補正書】
【提出日】平成29年3月6日(2017.3.6)
【手続補正１】
【補正対象書類名】特許請求の範囲
【補正対象項目名】全文
【補正方法】変更
【補正の内容】
【特許請求の範囲】
【請求項１】
環状の剛体をなし、
前記剛体は、糸により弁輪固定部材を保持するための複数の保持部が設けられており、
ここで、前記糸は、前記複数の保持部の間に張られると共に前記弁輪固定部材を貫通するものであり、
前記保持部は、前記剛体がなす周上に所定の間隔で離間して設けられており、
前記弁輪固定部材は、
環状で、
前記剛体の外周を取り囲みつつ前記剛体に外接し、かつ、
柔軟性を有するものであり、
前記剛体は、前記剛体がなす周の外側に向かって周状の凹面をなし、
前記保持部は、前記凹面の底部に形成されかつ前記周の外側と内側との間で前記剛体を貫通する貫通孔であり、
前記保持部は、前記貫通孔および前記弁輪固定部材を貫通する糸を用いて前記弁輪固定部材を前記剛体に保持するように構成されている、
心臓弁輪固定手術用リング。
【請求項２】
環状の剛体をなし、
前記剛体は、糸により弁輪固定部材を保持するための複数の保持部が設けられており、
ここで、前記糸は、前記複数の保持部の間に張られると共に前記弁輪固定部材を貫通するものであり、
前記保持部は、前記剛体がなす周上に所定の間隔で離間して設けられており、
前記弁輪固定部材は、
環状で、
前記剛体の外周を取り囲みつつ前記剛体に外接し、かつ、
柔軟性を有するものであり、
前記保持部が、前記剛体がなす周と交差する面に沿って形成された溝であり、
前記保持部は、前記溝に巻回されかつ前記弁輪固定部材を貫通する糸を用いて前記弁輪固定部材を前記剛体に保持するように構成されている、
心臓弁輪固定手術用リング。
【請求項３】
前記剛体は周をなし、
前記保持部が、前記周の長さを６等分する位置にそれぞれ設けられている、
請求項１または２に記載の心臓弁輪固定手術用リング。
【請求項４】
前記剛体は円周をなし、
前記円周の外径が、１６ｍｍ以上２８ｍｍ以下である、
請求項１ないし３のいずれかに記載の心臓弁輪固定手術用リング。
【請求項５】
心臓弁輪固定手術用リングと弁輪固定部材とを備え、
前記心臓弁輪固定手術用リングは、
環状の剛体をなし、
前記剛体は、糸により前記弁輪固定部材を保持するための複数の保持部が設けられており、
ここで、前記糸は、前記複数の保持部の間に張られると共に前記弁輪固定部材を貫通するものであり、
前記保持部は、前記剛体がなす周上に所定の間隔で離間して設けられており、
前記弁輪固定部材は、
継ぎ目のない閉じた環状で外表面が平滑であり、
前記剛体の外周を取り囲みつつ前記剛体に外接し、かつ、
柔軟性を有し、
前記剛体は、前記剛体がなす周の外側に向かって周状の凹面をなし、
前記保持部は、前記凹面の底部に形成されかつ前記周の外側と内側との間で前記剛体を貫通する貫通孔であり、
前記弁輪固定部材は前記凹面に巻回され、
前記糸が、前記貫通孔を貫通しつつ前記弁輪固定部材を前記剛体上に縫い付ける状態で前記弁輪固定部材を前記剛体に保持している、
心臓弁輪固定手術用アセンブリ。
【請求項６】
心臓弁輪固定手術用リングと弁輪固定部材とを備え、
前記心臓弁輪固定手術用リングは、
環状の剛体をなし、
前記剛体は、糸により前記弁輪固定部材を保持するための複数の保持部が設けられており、
ここで、前記糸は、前記複数の保持部の間に張られると共に前記弁輪固定部材を貫通するものであり、
前記保持部は、前記剛体がなす周上に所定の間隔で離間して設けられており、
前記弁輪固定部材は、
継ぎ目のない閉じた環状で外表面が平滑であり、
前記剛体の外周を取り囲みつつ前記剛体に外接し、かつ、
柔軟性を有し、
前記保持部が、前記剛体がなす周と交差する面に沿って形成された溝であり、
前記糸が、前記溝に巻回されつつ前記弁輪固定部材を前記剛体上に縫い付ける状態で前記弁輪固定部材を前記剛体に保持している、
心臓弁輪固定手術用アセンブリ。
【請求項７】
心臓弁輪固定手術用リングと弁輪固定部材とを備え、
前記心臓弁輪固定手術用リングは、
環状の剛体をなし、
前記剛体は、糸により前記弁輪固定部材を保持するための複数の保持部が設けられており、
ここで、前記糸は、前記複数の保持部の間に張られると共に前記弁輪固定部材を貫通するものであり、
前記保持部は、前記剛体がなす周上に所定の間隔で離間して設けられており、
前記弁輪固定部材は、
継ぎ目のない閉じた環状で外表面が平滑であり、
前記剛体の外周を取り囲みつつ前記剛体に外接し、かつ、
柔軟性を有し、
前記弁輪固定部材が、補強膜を備えたｅＰＴＦＥのシートで構成されている、
心臓弁輪固定手術用アセンブリ。
【請求項８】
心臓弁輪固定手術用リングと弁輪固定部材とを備え、
前記心臓弁輪固定手術用リングは、
環状の剛体をなし、
前記剛体は、糸により前記弁輪固定部材を保持するための複数の保持部が設けられており、
ここで、前記糸は、前記複数の保持部の間に張られると共に前記弁輪固定部材を貫通するものであり、
前記保持部は、前記剛体がなす周上に所定の間隔で離間して設けられており、
前記弁輪固定部材は、
継ぎ目のない閉じた環状で外表面が平滑であり、
前記剛体の外周を取り囲みつつ前記剛体に外接し、かつ、
柔軟性を有し、
前記弁輪固定部材の軸方向の長さが、前記心臓弁輪固定手術用リングの軸方向の長さよりも長いことで、縫いしろをなす、
心臓弁輪固定手術用アセンブリ。
【請求項９】
前記剛体は周をなし、
前記保持部が、前記周の長さを６等分する位置にそれぞれ設けられている、
請求項５ないし８のいずれかに記載の心臓弁輪固定手術用アセンブリ。
【請求項１０】
前記剛体は円周をなし、
前記円周の外径が、１６ｍｍ以上２８ｍｍ以下である、
請求項５ないし９のいずれかに記載の心臓弁輪固定手術用アセンブリ。